(57)【要約】【課題】自動二輪車等の運転時等の安全性を大幅に高め得る視線死角補助機能を備えたヘルメットを提供することを課題とする。【解決手段】本発明は、視線死角補助機能を備えたヘルメットであって、帽体と姿勢検出手段と少なくとも１個の撮影手段と表示手段と制御手段とを含み、前記制御手段は前記姿勢検出手段の姿勢検出信号によって前記撮影手段の起動を制御して映像情報を生成し、これを前記表示手段に表示することで、装着者がヘルメットを被って運転等をする時、前方を注視しながら視線の死角となる環境状況も観察することができることで、運転時等の安全性を高め得る。【選択図】図１ｂ
2017089084.tif 000002
【特許請求の範囲】
【請求項１】
その前側に視野開口部を有する帽体と、
前記帽体に設けられ、前記帽体の姿勢を検出して少なくとも１個の姿勢検出信号を生成する姿勢検出手段と、
前記帽体の前記視野開口部とは異なる適切な位置に設けられ、少なくとも１つの映像情報を生成するための少なくとも１個の撮影手段と、
前記帽体に設けられ、前記撮影手段で生成された映像情報を表示するための表示手段と、
前記帽体に設けられ、前記姿勢検出手段と前記撮影手段及び前記表示手段に接続され、且つ前記姿勢検出信号によって制御信号を生成して前記撮影手段の起動を制御して前記映像情報を生成し、また前記表示手段を通じて前記映像情報を表示する制御手段と、
を含むことを特徴とする視線死角補助機能を備えたヘルメット。
【請求項２】
前記帽体の視野開口部はシールド面を備え、前記シールド面を透明又は半透明とすることができることを特徴とする請求項１に記載の視線死角補助機能を備えたヘルメット。
【請求項３】
前記表示手段は、前記映像情報を前記シールド面に投影する投影手段を備えることを特徴とする請求項２に記載の視線死角補助機能を備えたヘルメット。
【請求項４】
前記表示手段は、前記シールド面に設けられるフレキシブルディスプレイを備えることを特徴とする請求項２に記載の視線死角補助機能を備えたヘルメット。
【請求項５】
前記姿勢検出手段は、ジャイロスコープと加速度計及び電子コンパスを備えることを特徴とする請求項１に記載の視線死角補助機能を備えたヘルメット。
【請求項６】
前記ジャイロスコープは、前記帽体の回転によって角速度信号を生成して前記制御手段に伝送することを特徴とする請求項５に記載の視線死角補助機能を備えたヘルメット。
【請求項７】
前記加速度計は、前記帽体の直線運動によって加速度信号を生成して前記制御手段に伝送することを特徴とする請求項５に記載の視線死角補助機能を備えたヘルメット。
【請求項８】
前記電子コンパスは、前記帽体の運動方向によって磁束密度信号を生成して前記制御手段に伝送することを特徴とする請求項５に記載の視線死角補助機能を備えたヘルメット。
【発明の詳細な説明】
【技術分野】
【０００１】
本発明は、ヘルメットに関し、特に、視線の死角となっている環境状況を観察できると共に安全性を高めることのできるヘルメットに関する。
【背景技術】
【０００２】
各種活動においてヘルメットを装着する必要があり、例えば原動機付自転車や重機の運転、自転車の運転、スキーやスケートのプレイ中などであるがこれらに限らない。各種活動で被るヘルメットのタイプは異なるが、各タイプのヘルメットの最大の用途は、装着者の頭部を防護し、怪我を防止することである。
【０００３】
しかしながら上記活動において装着者は、集中力を前方に集中する必要があり、視線の死角（例えば頭部の後方）に対する観察が根本的に不足し、ヘルメットを被ることによって視線の死角が更に拡大する。そのため、装着者が上記活動をする時、視線の死角を確認（例えば振り返って後方を確認）すると、前方不注視により多くの危険を生じることになる。
【０００４】
よって、装着者がヘルメットを被った時、如何にして前方を注視させることができ、同時に視線の死角となる環境状況も観察できることで、安全性を高めるかは、当業者において従来から解決が急務の問題となっている。
【発明の概要】
【発明が解決しようとする課題】
【０００５】
そこで、上記問題を効果的に解決するため、本発明の目的は、装着者がヘルメットを被った時でも前方の注視と同時に、視線の死角領域も観察できることで、従来と比べて安全性を格段に高め得るヘルメットを提供することである。
【課題を解決するための手段】
【０００６】
上記目的を達成するため、本発明は視線死角補助機能を備えたヘルメットを提供するものであり、その前側に視野開口部を有する帽体と、前記帽体に設けられ、前記帽体の姿勢を検出して少なくとも１個の姿勢検出信号を生成する姿勢検出手段と、前記帽体の前記視野開口部とは異なる適切な位置に設けられ、少なくとも１つの映像情報を生成するための少なくとも１個の撮影手段と、前記帽体に設けられ、前記撮影手段で生成された映像情報を表示するための表示手段と、前記帽体に設けられ、前記姿勢検出手段と前記撮影手段及び前記表示手段に接続され、且つ前記姿勢検出信号によって制御信号を生成して前記撮影手段の起動を制御して前記映像情報を生成し、また前記表示手段を通じて前記映像情報を表示する制御手段と、を含むことを特徴とする。使用者は、この本発明の視線死角補助機能を備えたヘルメットを装着し、ヘルメットを被った状態で前方を注視しながら視線の死角となる環境状況を観察できることで、安全性向上の効果を奏することができる。
【０００７】
一実施例において、前記帽体の視野開口部はシールド面を備え、前記シールド面を透明又は半透明とすることができる。
【０００８】
一実施例において、前記表示手段は、前記映像情報を前記シールド面に投影する投影手段を備える。
【０００９】
一実施例において、前記表示手段は、前記シールド面に設けられるフレキシブルディスプレイを備える。
【００１０】
一実施例において、前記姿勢検出手段は、ジャイロスコープと加速度計及び電子コンパスを備える。
【００１１】
一実施例において、前記ジャイロスコープは、前記帽体の回転によって角速度信号を生成して前記制御手段に伝送する。
【００１２】
一実施例において、前記加速度計は、前記帽体の直線運動によって加速度信号を生成して前記制御手段に伝送する。
【００１３】
一実施例において、前記電子コンパスは、前記帽体の運動方向によって磁束密度信号を生成して前記制御手段に伝送する。
【発明の効果】
【００１４】
上記構成を有する本発明に係る視線死角補助機能を備えたヘルメットの設計によるときは、装着者がヘルメットを被った時、前方を注視しながら同時に視線の死角となる環境状況も観察することができることで、安全性を大幅に高めることができる。
【００１５】
下記図面は、本発明をより容易に理解可能なように、本発明の具体的実施例の一部としてそれに対応する図面を参考しつつ本発明を詳細に説明し、また本発明の作用原理を記述することを目的とする。
【図面の簡単な説明】
【００１６】
【図１ａ】本発明に係るヘルメットの実施例１の立体図である。
【図１ｂ】本発明に係るヘルメットの実施例１の側面図である。
【図２】本発明に係るヘルメットの実施例１の機能ブロック図である。
【図３】本発明に係るヘルメットの実施例２の立体図である。
【図４】本発明に係るヘルメットの実施例２の機能ブロック図である。
【図５】本発明に係るヘルメットに設けられた複数の撮影手段を示す模式図である。
【図６】本発明に係るヘルメットのシールド面に映像情報を表示する状態を示す模式図である。
【図７】本発明を二輪車運転時装着用ヘルメットに適用した実施例を示す模式図である。
【発明を実施するための形態】
【００１７】
以下、本発明の上記目的及びその構造及び機能上の特性を、添付図面の好ましい実施例によって説明する。
【実施例１】
【００１８】
図１ａ、１ｂ及び図２を参照すると、これらは本発明に係るヘルメットの実施例１の立体図、側面図及び機能ブロック図である。図に示すように、本発明の視線死角補助機能を備えたヘルメット１としては、二輪車のヘルメットを例示して説明するが、これに限られるものではなく、具体的に実施する時、さまざまな種類とタイプのヘルメットとすることができる。この視線死角補助機能を備えたヘルメット１は、帽体１０と、姿勢検出手段２０と、少なくとも１個の撮影手段３０と、表示手段４０と、制御手段５０とを含む。
【００１９】
帽体１０の前側１１に視野開口部１２を設け、視野開口部１２の位置にはシールド面６０を設置し、シールド面６０は透明或いは半透明とすることができる。
【００２０】
姿勢検出手段２０は、帽体１０に設けられ、帽体１０の姿勢を検出して少なくとも１個の姿勢検出信号を生成するものであり、ジャイロスコープ２１と、加速度計２２と、電子コンパス２３とを備える。ジャイロスコープ２１（Gyroscope）は帽体１０の回転によって角速度信号を生成し、前記角速度信号は３つの軸方向データを含む。加速度計２２（Accelerometer）は、帽体１０の直線運動によって加速度信号を生成し、前記加速度信号は３つの軸方向データを含む。電子コンパス２３（Electronic compass）は、帽体１０の運動方向に応じた磁束密度信号を生成する。これら角速度信号と加速度信号及び磁束密度信号が前記の少なくとも１つの姿勢検出信号を構成し、これらの角速度信号と加速度信号及び磁束密度信号を制御手段５０に伝送するようにする。
【００２１】
撮影手段３０は、帽体１０の視野開口部１２とは異なる適切な位置に設けられ、映像情報を生成するために用いられ、ドライブレコーダ、録画カメラ又はその均等物とすることができる。本実施例においては１個の撮影手段により説明するが、これに限られるものではなく、別の代替実施においては、異なる方向角の映像情報を生成するため、２個の撮影手段３０（図５）を設けて各々異なる方向角に対応できるようにする。撮影手段３０は、帽体１０（図１ｂ）に嵌設されることが好ましい。
【００２２】
表示手段４０は、帽体１０に設けられ、撮影手段３０で生成された映像情報を表示するために用いられ、前記映像情報をシールド面６０（図６）に投影する投影手段４１を備え、投影手段４１としてはマイクロプロジェクター又はその均等物とすることができる。
【００２３】
制御手段５０は、帽体１０に設けられ、姿勢検出手段２０と撮影手段３０及び表示手段４０に接続され、且つ前記姿勢検出信号（つまり、前記の如く、角速度信号と加速度信号及び磁束密度信号から構成されたもの）によって制御信号を生成して、撮影手段３０の起動を制御して前記映像情報を生成し、また表示手段４０を通じて前記映像情報を表示する。制御手段５０は、マイクロコントローラーユニット（Microcontroller Unit、ＭＣＵ）、中央処理装置（Central Processing Unit、ＣＰＵ）或いはその均等物とすることができる。この制御手段５０による制御方法としては、さまざまな態様のものが可能であるが、その幾つかの例について以下に概略のみを説明する。制御手段５０には閾値αを設定でき、制御手段５０は前記加速度信号の３つの軸方向データを計算パラメータとして利用し、また前記角速度信号の３つの軸方向データ及び前記磁束密度信号を合わせて修正パラメータとして姿勢値βを生成し、前記姿勢値βが前記閾値α（又は前記閾値αより低い）より高い場合、制御手段５０が前記制御信号を生成して撮影手段３０を制御して映像を撮影（つまり、前記映像情報を生成）し、さらに、表示手段４０により撮影手段３０で撮影した映像（つまり、前記映像情報の表示）を表示するようにする。別の実施例においては、前記角速度信号の３つの軸方向データを０に設定して比較値γとし、帽体１０の回転時において、前記角速度信号の３つの軸方向データが比較値γから逸脱した場合に、逸脱した比較値γの前記角速度信号の３つの軸方向データを計算パラメータとし、前記加速度信号の３つの軸方向データ及び前記磁束密度信号を合わせて修正パラメータとして姿勢値βを生成し、前記姿勢値βが前記閾値αより高い（又は前記閾値αより低い）場合、制御手段５０が前記制御信号を生成して撮影手段３０を制御して映像を撮影（つまり前記映像情報を生成）するようにする。その他の実施例において、制御手段５０は、前記角速度信号の３つの軸方向データ及び前記加速度信号の３つの軸方向データ及び前記磁束密度信号に対して異なるウエイトを各々与えた上で計算して姿勢値βを生成し、前記姿勢値βが前記閾値αより高い（又は前記閾値αより低い）場合、制御手段５０が前記制御信号を生成して撮影手段３０を制御して映像を撮影（つまり、前記映像情報を生成）するようにする。ただし、具体的に実施する時、前記制御信号を生成する方法は、これに限られるものではなく、その他の方式で前記制御信号を生成するようにしてもよい。
【実施例２】
【００２４】
図３、図４を参照すると、これらは本発明に係るヘルメットの実施例２の立体図及び機能ブロック図である。図に示すように、本実施例の一部構造及び構成要素の機能やその効果は大略前記実施例１と同一であるため、ここではその説明を省略する。本実施例２と前記実施例１の相違点は、表示手段４０がシールド面６０に設けられるフレキシブルディスプレイ４２である点であり、撮影手段３０で生成された前記映像情報がフレキシブルディスプレイ４２によってシールド面６０に表示されることで、装着者は視線死角補助機能を備えたヘルメット１を被った時、視線を前方に向けながらヘルメット後方の環境に危険があるかどうかを観察できることで、安全性を高めることができることである。フレキシブルディスプレイ４２は、透明なフレキシブルディスプレイ（transparent-flexible display）或いはその均等物とすることができる。
【００２５】
図６、図７を参照すると、これらは本発明に係るヘルメットのシールド面に映像情報を表示する状態を示す模式図及び二輪車運転時装着用ヘルメットとしての実施例を示す模式図である。図に示すように、本実施例は、装着者が自動二輪車を運転する際に被るヘルメットとして説明しているが、これに限られるものではなく、具体的に実施する場合には、さまざまな種類とタイプのヘルメットとすることができる。図に示すように、装着者が視線死角補助機能を備えたヘルメット１を被ると、帽体１０は装着者の頭部を保護するために用いることができ、且つ装着者が視野開口部１２の位置に設置されたシールド面６０を通じて外部環境状況を観察できる。帽体１０に設けられた姿勢検出手段２０は、ジャイロスコープ２１と加速度計２２と電子コンパス２３とを備え（図１ｂの場合と同様）、帽体１０が装着者の頭部の動きに伴って回転すると、ジャイロスコープ２１が角速度信号の３つの軸方向データを生成し、また、帽体１０が装着者の頭部の動きに伴って移動すると、加速度計２２が加速度信号の３つの軸方向データを生成し、さらに、帽体１０が二輪車の走行に伴って慣性移動すると、電子コンパス２３が走行方向によって磁束密度信号を生成し、これらの角速度信号、加速度信号及び磁束密度信号を制御手段５０に伝送して前記制御信号を生成させ、この制御信号により撮影手段３０を制御してヘルメット後方の映像を撮影し、このヘルメット後方の映像を表示手段４０の投影手段４１によりシールド面６０に投影することで、装着者に視線死角補助機能を備えたヘルメット１を被って二輪車を運転している期間中、視線を前方に向けながらヘルメット後方の環境に危険性があるかどうかを観察させることで、安全性を高めることができる。
【産業上の利用可能性】
【００２６】
上記実施例に示す如く、本発明に係る視線死角補助機能を備えたヘルメットは、装着者がヘルメットを被った時、視線を前方に向けながら視線の死角となる環境状況も観察することができ、これによって運転時の安全性を大幅に高めることができる。
【００２７】
以上、本発明を実施するための各種形態について説明したが、上記実施形態は本発明の理解を容易にするためのものであり、本発明を限定して解釈するためのものではない。したがって、本発明はその趣旨を逸脱することなく本明細書及び図面に示した構造、配置形態或いは実施ステップを変更、改良、修正及び応用した実施例については、本発明の権利範囲及びその均等範囲に含まれるものである。
【００２８】
上記をまとめると、本発明の「視線死角補助機能を備えたヘルメット」を使用した時は、前記の本発明の効果及び目的を確実に達成できるものであり、本発明は実用性に優れた発明であって、法定の特許要件を具備するものである。
【符号の説明】
【００２９】
１    視線死角補助機能を備えたヘルメット
１０  帽体
１１  前側
１２  視野開口部
２０  姿勢検出手段
２１  ジャイロスコープ
２２  加速度計
２３  電子コンパス
３０  撮影手段
４０  表示手段
４１  投影手段
４２  フレキシブルディスプレイ
５０  制御手段
６０  シールド面
【図１ａ】
2017089084.tif 000003
【図１ｂ】
2017089084.tif 000004
【図２】
2017089084.tif 000005
【図３】
2017089084.tif 000006
【図４】
2017089084.tif 000007
【図５】
2017089084.tif 000008
【図６】
2017089084.tif 000009
【図７】
2017089084.tif 000010